(57)【要約】      （修正有）【課題】自由度が高く、容易に正しい作業ができるＥ形止め輪装着工具を提供する。【解決手段】Ｅ形止め輪装着工具１００は、ベース部材１３０と、ガイドプレート１２０と、レール部材１１０と、を有する。ベース部材は、挿入工具の第１主面をガイドする第１ガイド面１３１と、挿入工具の先端部の間隔より狭い幅で前後に延びる先端ガイド１３４と、装着対象のＥ形止め輪の主面と接する止め輪設置面１３５と、Ｅ形止め輪の開口部より狭い幅で開口部及び内径部に遊嵌する止め輪ガイド１３６と、を有する。ガイドプレートは、挿入工具の第２主面をガイドする第２ガイド面１２１と、Ｅ形止め輪の開口端に当接するストッパ１２２と、を有する。レール部材は、左右の側面がＥ形止め輪の開口部より狭い幅で平行且つ上下方向に延伸する柱状の第１レール部１１１と、開口部より広い幅を有し、内径部に遊嵌する柱状の第２レール部１１２と、を有する。【選択図】図１
0003222824.tif 000002
【実用新案登録請求の範囲】
【請求項１】
把持部の一端において二股に分岐した分岐部が互いに近付くように湾曲した先端部と当該先端部より手前側でＥ形止め輪を挟持する板状の挟持片とを有する挿入工具に、前記Ｅ形止め輪を装着させるためのＥ形止め輪装着工具であって、
ベース部材と、前記ベース部材の上面に設けられた平板状のガイドプレートと、前記ガイドプレートの上面に設けられ上方向に延伸するレール部材と、を備え、
前記ベース部材は、
前記挿入工具の第１主面をガイドする第１ガイド面と、
前記第１ガイド面の上面に立設され、前記挿入工具の前記先端部の間隔より狭い幅で前後に延びる先端ガイドと、
前記先端ガイドの上面に設けられ、装着対象の前記Ｅ形止め輪の主面と接する止め輪設置面と、
前記止め輪設置面の上面に立設され、前記Ｅ形止め輪の開口部より狭い幅で前記開口部及び内径部に遊嵌する止め輪ガイドと、
を有し、
前記ガイドプレートは、
前記ガイドプレートの主面であって前記第１ガイド面と離間して対向することにより前記挿入工具の第２主面をガイドする第２ガイド面と、
前記ガイドプレートの端面であって前記止め輪設置面に設置された前記Ｅ形止め輪の開口端に当接するストッパと、
を有し、
前記レール部材は、
対向する左右の側面が前記開口部より狭い距離で平行且つ上下方向に延伸する柱状の第１レール部と、
前記第１レール部に隣接して形成され前記開口部より広い幅を有するとともに前記内径部に遊嵌する柱状の第２レール部と、を有し、
前記第１レール部及び前記第２レール部の第１端部が前記Ｅ形止め輪を積層可能に受け入れる開放端であるとともに、前記第１端部の反対側の第２端部が前記止め輪ガイドに当接する
Ｅ形止め輪装着工具。
【請求項２】
前記レール部材は、前記第１レール部の前記第２レール部が隣接する側の反対側に延在する挟持部をさらに有し、
前記挟持部はユーザの指で保持されるための穴部を含む
請求項１に記載のＥ形止め輪装着工具。
【請求項３】
前記レール部材は、前記第２レール部の前記第１端部において前記内径部の大きさを超えない範囲で上下方向に直交して突出する凸部をさらに有する
請求項１または２に記載のＥ形止め輪装着工具。
【請求項４】
前記レール部材は、前記第２レール部の前記第２端部において前記第１レール部と隣接する側の反対側に切欠き部をさらに有する
請求項１〜３のいずれか一項に記載のＥ形止め輪装着工具。
【請求項５】
前記ガイドプレートは、前記ストッパが設けられた端面とは異なる端面に副ストッパをさらに有し、上下方向に延びる軸を中心として回転して設置可能に構成されている
請求項１〜４のいずれか一項に記載のＥ形止め輪装着工具。
【考案の詳細な説明】
【技術分野】
【０００１】
本考案はＥ形止め輪装着工具に関する。
【背景技術】
【０００２】
様々な製品を製造する際にＥ形止め輪が広く使用されている。一般に、Ｅ形止め輪を所定の軸等に挿入する場合、作業者は専用の挿入工具を利用する。また、専用の挿入工具にＥ形止め輪を装着するための工具も存在する。例えば、非特許文献１に記載のスタンドは、レールに挿入されたＥ形止め輪に対して棒状の挿入工具を押し付けることにより棒状の挿入工具にＥ形止め輪を装着する装着工具である。
【０００３】
ところで本願の考案者は、Ｅ形止め輪を所定の軸に挿入する作業を安定的に行うことができ、作業者の負荷を軽減するＥ形止め輪挿入工具を提案した（特許文献１）。このＥ形止め輪挿入工具は、第１挟持片及び第２挟持片を有している。第１挟持片は、二股に分岐した一対の先端に軸を挟持するための軸挟持部が設けられている。第２挟持片は、第１挟持片の主面にスライド可能に係合する平板の先端が二股に分岐し、分岐した一対の先端にそれぞれＥ形止め輪を挟持するための止め輪挟持部が設けられている。
【先行技術文献】
【特許文献】
【０００４】
【特許文献１】特許第６４６９８２９号公報
【非特許文献】
【０００５】
【非特許文献１】ＥＴスタンド［令和１年６月１１日検索］、インターネット＜ＵＲＬ：http://www.ochiai-if.co.jp/products/pdf/tools.pdf＞
【考案の概要】
【考案が解決しようとする課題】
【０００６】
本願の考案者は、かかるＥ形止め輪挿入工具に対応するＥ形止め輪装着工具の開発を行った。Ｅ形止め輪装着工具を開発するに際し、本願の考案者は、上述のスタンドには以下の課題が存することを見出すに至った。上記スタンドを利用する作業者は、棒状の挿入工具を所定の方向に強く押し当てることにより、挿入工具にＥ形止め輪を挟持させる。そのため、上記スタンドは、棒状の挿入工具から受ける押圧力を受けることができるように、机上等にボルトまたはネジ等により固定して用いられる構造となっている。すなわち、上記スタンドと同様の構造を採用する場合、上記スタンドを固定するためのスペースを確保することにより、Ｅ形止め輪を挿入する作業の自由度が低下する虞がある。また、上記スタンドは、棒状の挿入工具が正しい角度で挿入されない場合、Ｅ形止め輪が挿入工具に正しく装着されない。作業者はＥ形止め輪が挿入工具に正しく装着されるように注意しながら作業を行う必要がある。しかしながら所定の位置に固定されたスタンドに対して強い力で挿入工具を押し当てながら微妙な角度を調整するのは容易な作業ではない。
【０００７】
本考案は、このような課題を解決するためになされたものであり、自由度が高く、容易に正しい作業ができるＥ形止め輪装着工具を提供することを目的とするものである。
【課題を解決するための手段】
【０００８】
本考案にかかるＥ形止め輪装着工具は、把持部の一端において二股に分岐した分岐部が互いに近付くように湾曲した先端部と当該先端部より手前側でＥ形止め輪を挟持する板状の挟持片とを有する挿入工具に、Ｅ形止め輪を装着させるためのものである。上記Ｅ形止め輪装着工具は、ベース部材と、ベース部材の上面に設けられた平板状のガイドプレートと、ガイドプレートの上面に設けられ上方向に延伸するレール部材と、を有する。上記ベース部材は、挿入工具の第１主面をガイドする第１ガイド面と、第１ガイド面の上面に立設され、挿入工具の先端部の間隔より狭い幅で前後に延びる先端ガイドと、先端ガイドの上面に設けられ、装着対象のＥ形止め輪の主面と接する止め輪設置面と、止め輪設置面の上面に立設され、Ｅ形止め輪の開口部より狭い幅で開口部及び内径部に遊嵌する止め輪ガイドと、を有する。上記ガイドプレートは、ガイドプレートの主面であって第１ガイド面と離間して対向することにより挿入工具の第２主面をガイドする第２ガイド面と、ガイドプレートの端面であって上記止め輪設置面に設置されたＥ形止め輪の開口端に当接するストッパと、を有する。レール部材は、対向する左右の側面がＥ形止め輪の開口部より狭い距離で平行且つ上下方向に延伸する柱状の第１レール部と、第１レール部に隣接して形成され開口部より広い幅を有するとともに内径部に遊嵌する柱状の第２レール部と、を有する。またレール部材は、第１レール部及び第２レール部の第１端部がＥ形止め輪を積層可能に受け入れる開放端であるとともに、第１端部の反対側の第２端部が止め輪ガイド部に当接する。
【０００９】
このような構成により、作業者は挿入工具を容易に、かつ正しい角度で挿入し、Ｅ形止め輪を挿入工具に装着できる。
【００１０】
上記Ｅ形止め輪装着工具において、レール部材は、第１レール部の第２レール部が隣接する側の反対側に延在する挟持部をさらに有し、挟持部はユーザの指で保持されるための穴部を含むものであってもよい。これにより作業者はＥ形止め輪装着工具を容易に挟持できる。そのため作業性が向上する。
【００１１】
上記Ｅ形止め輪装着工具において、レール部材は、第２レール部の第１端部において内径部の大きさを超えない範囲で上下方向に直交して突出する凸部をさらに有してもよい。これによりＥ形止め輪装着工具は、レール部にセットしたＥ形止め輪の脱落を抑制できる。
【００１２】
上記Ｅ形止め輪装着工具において、レール部材は、第２レール部の第２端部において第１レール部と隣接する側の反対側に切欠き部をさらに有してもよい。これによりＥ形止め輪装着工具は、装着対象ではないＥ形止め輪を挿入工具から退避させることができる。
【００１３】
上記Ｅ形止め輪装着工具において、ガイドプレートは、ストッパが設けられた端面とは異なる端面に副ストッパをさらに有し、上下方向に延びる軸を中心として回転して設置可能に構成されているものであってもよい。これにより、Ｅ形止め輪装着工具は、呼び径が実質的に同じで前後方向の長さが異なる複数種類のＥ形止め輪に対応できる。
【００１４】
なお、本明細書において「Ｅ形止め輪」とは、中空円板状であり開口部を有する金属板であって、円周溝を有する軸に対して、かかる軸のラジアル方向から、金属板の開口部を弾性域内において押し拡げるようにして挿入する止め輪をいう。
【考案の効果】
【００１５】
本考案により、自由度が高く、容易に正しい作業ができるＥ形止め輪装着工具を提供することができる。
【図面の簡単な説明】
【００１６】
【図１】実施の形態にかかるＥ形止め輪装着工具の分解斜視図である。
【図２】実施の形態にかかるＥ形止め輪装着工具の概観図である。
【図３】挿入工具の概観図である。
【図４】Ｅ形止め輪装着工具を使用する状態の例を示す側面図である。
【図５】Ｅ形止め輪装着工具を使用する状態の例を示す第１の上面図である。
【図６】Ｅ形止め輪装着工具を使用する状態の例を示す第２の上面図である。
【図７】Ｅ形止め輪装着工具を使用する状態の例を示す第３の上面図である。
【図８】Ｅ形止め輪装着工具を使用する状態の例を示す第４の上面図である。
【考案を実施するための形態】
【００１７】
以下に図面を参照して実施の形態について説明する。以下の説明及び図面において、複数の図面に共通する構成についてはそれぞれ共通の符号を付している。そのため、共通の符号を付した構成については適宜説明を省略する。
【００１８】
＜実施の形態＞
図１及び図２を参照して実施の形態にかかるＥ形止め輪装着工具について説明する。図１は、実施の形態にかかるＥ形止め輪装着工具１００の分解斜視図である。図２は、実施の形態にかかるＥ形止め輪装着工具の概観図である。図に示すＥ形止め輪装着工具１００は、後述する挿入工具に、図２に示すＥ形止め輪８００を装着させるためのものである。
【００１９】
なお、構成要素の位置関係を説明するための便宜的なものとして、図１は、右手系の直交座標系が付されている。また、図２以降において、直交座標系が付されている場合、図１のＸ軸、Ｙ軸、及びＺ軸方向と、これらの直交座標系のＸ軸、Ｙ軸、及びＺ軸方向はそれぞれ一致している。また、以降の説明において説明の便宜上、Ｘ軸方向を左右方向、Ｙ軸方向を前後方向、Ｚ軸方向を上下方向と称する場合もある。
【００２０】
Ｅ形止め輪装着工具１００は、主な構成として、レール部材１１０、ガイドプレート１２０、ベース部材１３０及びネジ１４０を有している。Ｅ形止め輪装着工具１００を構成するこれらの要素は、Ｅ形止め輪８００を挿入工具に装着させる工程で変形しない程度の剛性を有する鉄、ステンレスあるいはアルミニウム等の材料により形成されている。
【００２１】
Ｅ形止め輪装着工具１００に対応したＥ形止め輪８００は、開口部８０１、開口端８０２及び内径部８０３を有している。開口部８０１は幅Ｗ１を有している。なおＥ形止め輪の形状の詳細は当業者に知られているものであり、ここでの詳述は省略する。
【００２２】
レール部材１１０は、ガイドプレート１２０の上面に設けられ上方向に延伸する板状の部材である。レール部材１１０は、第１レール部１１１、第２レール部１１２、挟持部１１３及びネジ穴１１４を主な構成として有している。
【００２３】
第１レール部１１１は、対向する左右の側面がＥ形止め輪の開口部より狭い距離で平行且つ上下方向に延伸する柱状の形状を有している。第２レール部１１２は、第１レール部１１１に隣接して形成されＥ形止め輪の開口部より広い幅を有するとともに内径部に遊嵌する柱状の形状を有している。
【００２４】
レール部材１１０は、第１レール部１１１及び第２レール部１１２の上側の端部である第１端部１１０ａがＥ形止め輪を積層可能に受け入れる開放端である。第１端部１１０ａはＥ形止め輪を受け入れやすくするために、斜面が設けられている。またレール部材１１０は、第１端部１１０ａの反対側である下側に位置する第２端部１１０ｂが、後述するベース部材１３０の止め輪ガイド１３６の上面に当接するように構成されている。
【００２５】
第２レール部１１２は、凸部１１２ａを有している。凸部１１２ａは、第１端部１１０ａのＹ軸マイナス側に突出するように設けられた凸部である。凸部１１２ａが設けられた部分は、Ｅ形止め輪８００の内径部８０３の大きさを超えない範囲に設定されている。よって、Ｅ形止め輪８００は第１端部１１０ａを通過してレール部材１１０に挿入される。一方、凸部１１２ａは、レール部材１１０に挿入されたＥ形止め輪８００が衝撃や傾き等により第１端部１１０ａから飛び出る方向に力を受けた場合に、Ｅ形止め輪８００が飛び出るのを抑制する。
【００２６】
第２レール部１１２は、切欠き部１１２ｂを有している。切欠き部１１２ｂは、第２レール部１１２の第２端部１１０ｂにおいて第１レール部１１１と隣接する側の反対側であるＹ軸マイナス側の端部に設けられた切欠きである。切欠き部１１２ｂの上下方向の寸法は、例えばＥ形止め輪８００の厚みより少し大きい。また切欠き部１１２ｂの前後方向の寸法は、例えば０．２ミリメートルないし０．４ミリメートル程度である。切欠き部１１２ｂを有していることにより、Ｅ形止め輪装着工具１００は、装着対象のＥ形止め輪８００の直上に位置するＥ形止め輪８００を挿入工具に誤って装着されるのを抑制する。
【００２７】
挟持部１１３は、第１レール部１１１の第２レール部１１２が隣接する側の反対側すなわちＹ軸プラス側に延在する板状の部分である。Ｅ形止め輪装着工具１００を使用するユーザである作業者は、挟持部１１３を挟持することによりＥ形止め輪装着工具１００を持ち上げて使用できる。そのため挟持部１１３は、作業者がＥ形止め輪装着工具１００を挟持した際に手になじむ程度の形状を有していることが好ましい。
【００２８】
挟持部１１３は、作業者の指で保持されるための穴部１１３ｈを含む。穴部１１３ｈは挟持部１１３の左右方向の側面において所定の位置に設けられた穴である。穴部１１３ｈは、作業者の指の太さより若干小さい直径を有しており、作業者がＥ形止め輪８００を挿入工具に装着する際に指（例えば親指と人差し指）で挟持しやすい位置に設けられている。穴部１１３ｈが設けられることにより、Ｅ形止め輪装着工具１００は、グリップ性が向上するため作業性が向上するとともに携帯容易となる。なお穴部１１３ｈはＸ軸方向に沿って貫通する穴であってもよいし、挟持部１１３の少なくとも一方の側面に設けられた貫通しない穴（凹部）であってもよい。また穴部１１３ｈは真円に限らず、楕円や多角形等でもよい。穴部１１３ｈは左右それぞれに複数存在してもよい。
【００２９】
ネジ穴１１４は、レール部材１１０の下面に設けられたネジ穴であって、ネジ１４０が挿入される。
【００３０】
ガイドプレート１２０は、レール部材１１０の下面且つベース部材１３０の上面に設けられた矩形平板状の部材である。ガイドプレート１２０は、第２ガイド面１２１、ストッパ１２２、副ストッパ１２３及び孔１２４を有している。
【００３１】
第２ガイド面１２１は、平板状の部材における下側の主面であり、後述するベース部材１３０の第１ガイド面１３１と離間して対向することにより挿入工具における上側の部材の主面をガイドする。ストッパ１２２は、矩形平板状の部材におけるＹ軸マイナス側のＸＺ面に並行な端面である。ストッパ１２２は、後述するベース部材１３０の止め輪設置面１３５に設置されたＥ形止め輪８００の開口端８０２に当接する。
【００３２】
副ストッパ１２３は、矩形平板状の部材におけるＹ軸プラス側のＸＺ面に並行な端面である。ガイドプレート１２０は、図２において一点鎖線により示した上下方向の軸Ｚ１を中心として１８０度回転して取り付けることができる。副ストッパ１２３は、ガイドプレート１２０が上述のように１８０度回転して取り付けられた場合に、前後方向の寸法が異なる種類のＥ形止め輪８００の開口端８０２に当接する。
【００３３】
孔１２４はガイドプレート１２０の中央部に設けられた貫通孔であり、ネジ１４０が挿通される。
【００３４】
ベース部材１３０は、ガイドプレート１２０の下面に固定された部材である。ベース部材は主な構成として、第１ガイド面１３１、孔１３２、斜面１３３、先端ガイド１３４、止め輪設置面１３５及び止め輪ガイド１３６を有している。
【００３５】
第１ガイド面１３１は、挿入工具における下側の部材の主面をガイドする。孔１３２は、ベース部材１３０の中央部に設けられた上下方向の貫通孔であり、ネジ１４０が挿通される。斜面１３３は、第１ガイド面１３１のＹ軸マイナス側の端部に設けられた斜面であり、挿入工具の先端部が引っ掛かることなくスムーズにＹ軸プラス側に挿入されるためのガイドである。
【００３６】
先端ガイド１３４は、第１ガイド面１３１の上面に立設され、挿入工具の先端の間隔より狭い幅で前後に延びるリブ状の部分である。止め輪設置面１３５は、先端ガイド１３４の上面に設けられ、装着対象であるＥ形止め輪８００の下側の主面と接する。すなわち、挿入工具に装着されるＥ形止め輪８００は、レール部材１１０の上部（第１端部１１０ａ）から挿入されると、落下して止め輪設置面１３５で停止する。
【００３７】
止め輪ガイド１３６は、止め輪設置面１３５の上面に立設され、Ｅ形止め輪８００の開口部８０１より狭い幅で前後方向に延び、Ｅ形止め輪８００の開口部８０１及び内径部８０３に遊嵌するリブ状の部分である。止め輪ガイド１３６の高さは、Ｅ形止め輪８００の厚さより若干厚い程度である。
【００３８】
ネジ１４０は、ベース部材１３０の下面からベース部材１３０の孔１３２、ガイドプレート１２０の孔１２４を挿通してレール部材１１０のネジ穴１１４に螺合する。ネジ１４０がこのように螺合することで、ベース部材１３０、ガイドプレート１２０及びレール部材１１０が連結される。
【００３９】
次に、図２を参照しながらＥ形止め輪８００をセットする方法について説明する。図に示すように、Ｅ形止め輪８００はＥ形止め輪装着工具１００の上方からレール部材１１０に矢印Ａ１に沿って挿入される。Ｅ形止め輪８００は複数のＥ形止め輪８００がスタックされた状態で挿入されてもよい。レール部材１１０に挿入されたＥ形止め輪８００は、止め輪設置面１３５まで落下して停止する。複数のＥ形止め輪８００が挿入された場合にはＺ軸方向にスタックされた状態となる。止め輪設置面１３５に接しているＥ形止め輪８００は第２レール部１１２から外れ、止め輪ガイド１３６に遊嵌している。そのため、このＥ形止め輪８００は、矢印Ａ２に沿ってＥ形止め輪装着工具１００から脱出可能な状態となっている。Ｅ形止め輪装着工具１００は、Ｅ形止め輪８００をこのような状態にセットし、挿入工具を受け入れる。
【００４０】
次に、図３を参照して実施の形態にかかるＥ形止め輪装着工具に対応する挿入工具について説明する。図３は、挿入工具９００の概観図である。挿入工具９００は、作業対象である軸に対してラジアル方向からＥ形止め輪を挿入する工具である。挿入工具９００は、把持部材９６０、操作レバー９５０、連結部材９４０、挟持片９２０、及び開閉部材９３０を主な構成として有している。
【００４１】
把持部材９６０は長尺状の部材であって、一端側において二股に分岐した一対の先端に作業対象である軸を挟持するための軸挟持部９１０を有している。軸挟持部９１０の先端９１１は互いに近付くように湾曲した形状となっている。また、把持部材９６０は、当該一端側において挟持片９２０及び開閉部材９３０と係合し、他端側において把持部９６１を有している。また把持部材９６０は、中間部に第１軸９５２が係合している。
【００４２】
操作レバー９５０は、把持部材９６０に摺動可能に係合している。使用者は、操作レバー９５０と把持部材９６０との相対的な位置関係を変化させるように摺動させることにより挿入工具９００の操作を行う。操作レバー９５０の一端側は、把持部材９６０の中間部において第１軸９５２により回動自在に軸支されている。操作レバー９５０は、他端側に操作部９５１を有している。操作部９５１は、第１軸９５２を支点として所定の角度Ｃの範囲を回動するように設定されている。挿入工具９００の使用者は、挿入工具９００の操作において、把持部材９６０と操作レバー９５０とが成す角度Ｃを変化させる。角度Ｃは、例えば０度から３０度である。
【００４３】
挟持片９２０は把持部材９６０の主面に接触し、把持部材９６０の長手方向に平行にスライド可能に係合している。挟持片９２０、先端が二股に分岐し、分岐した一対の先端にそれぞれＥ形止め輪を挟持するための止め輪挟持部９２１が設けられている。
【００４４】
開閉部材９３０は、挟持片９２０が接触する面の反対側の主面に接触し、把持部材９６０の長手方向に対して平行にスライド可能に係合している。
【００４５】
連結部材９４０は、一端側において第２軸９４１によって操作レバー９５０と回動可能に軸支されている。また、連結部材９４０は、他端側において第３軸９４２によって挟持片９２０に回動可能に軸支されている。さらに、連結部材９４０は、第３軸９４２と同軸上に設けられた第４軸９４３によって開閉部材９３０に回動可能に軸支されている。
【００４６】
上述した構成により、挿入工具９００は、次のように動作し得る。操作レバー９５０は、把持部９６１と操作部９５１とが互いに近付く方向Ｆ１に回動する。操作レバー９５０が方向Ｆ１に回動すると、連結部材９４０は操作レバー９５０の変位を挟持片９２０及び開閉部材９３０に伝達する。これにより、挟持片９２０及び開閉部材９３０は、把持部材９６０の長手方向に平行且つ軸挟持部９１０に近付く方向Ｇ１に変位する。挟持片９２０及び開閉部材９３０が方向Ｇ１に変位するにつれて、一対の軸挟持部９１０は互いに近付くように変位する。
【００４７】
一方、挿入工具９００は、次のようにも動作し得る。操作レバー９５０は、把持部９６１と操作部９５１とが互いに離れる方向Ｆ２に回動する。操作レバー９５０が方向Ｆ２に回動すると、連結部材９４０は操作レバー９５０の変位を挟持片９２０及び開閉部材９３０に伝達する。これにより、挟持片９２０及び開閉部材９３０は、把持部材９６０の長手方向に平行且つ軸挟持部９１０から離れる方向Ｇ２に変位する。挟持片９２０及び開閉部材９３０が方向Ｇ２に変位するにつれて、一対の軸挟持部９１０は互いに離れるように変位する。
【００４８】
以上、挿入工具９００について説明したが、挿入工具９００は挿入工具の一例であって、挿入工具は上述の構成に限られない。挿入工具は、二股に分岐した分岐部の先端が互いに近付くように湾曲し、先端より手前側でＥ形止め輪を挟持する板状の部分を有していれば、その他の部分は別の構成でもよい。
【００４９】
次に、図４〜図７を参照しながら、Ｅ形止め輪装着工具１００にセットされたＥ形止め輪８００が挿入工具９００に装着される状態を説明する。図４は、Ｅ形止め輪装着工具１００を使用する状態の例を示す側面図である。図に示すＥ形止め輪装着工具１００は作業者の左手により挟持された状態である。またＥ形止め輪装着工具１００には、２個のＥ形止め輪８００（Ｅ形止め輪８００ａ及びＥ形止め輪８００ｂ）がセットされている。これらのうち挿入工具９００に装着される対象であるＥ形止め輪８００ａは、止め輪設置面１３５に接している。作業者はＥ形止め輪装着工具１００を左手で挟持しつつ、右手で挿入工具９００を把持し、軸挟持部９１０の先端９１１をＥ形止め輪装着工具１００に近付ける。このとき作業者は、挿入工具９００の挟持片９２０が上側になり、開閉部材９３０が下側になるように挿入工具９００の向きを維持する。
【００５０】
このような状況において、Ｅ形止め輪装着工具１００の第１ガイド面１３１と第２ガイド面１２１との隙間は距離ｈ１となっている。一方、挿入工具９００の開閉部材９３０の下面９３０ｆと軸挟持部９１０の上面９１０ｆとにより構成される部分の厚さは距離ｈ２となっている。このとき、Ｅ形止め輪装着工具１００の隙間の距離ｈ１は、挿入工具９００の厚さの距離ｈ２より若干大きく、且つガタツキが生じない程度に設定されている。より具体的には、例えば距離ｈ１は距離ｈ２より０．４ミリメートル程度大きく設定される。なお、開閉部材９３０の下面９３０ｆは、挿入工具９００の第１主面とも称される。また軸挟持部９１０の上面９１０ｆは、挿入工具９００の第２主面とも称される。
【００５１】
第１ガイド面１３１、第２ガイド面１２１、挿入工具の第１主面及び挿入工具の第２主面の上下方向における寸法が上述の関係になっていることにより、Ｅ形止め輪装着工具１００は挿入工具９００を上下方向において確実にガイドすることができる。
【００５２】
なお、図に示すように、作業者が穴部１１３ｈを挟持することにより、作業者は的確にＥ形止め輪装着工具１００を挟持できる。また、図に示した状態から時間が経過し、挿入工具９００がＥ形止め輪装着工具１００に挿入された際、挟持片９２０の止め輪挟持部９２１がＥ形止め輪８００ａと接触してＥ形止め輪８００ａをＹ軸プラス側に押圧する。その際、Ｅ形止め輪８００ｂも、止め輪挟持部９２１に接触して、Ｙ軸プラス側に押圧される場合がある。この場合、Ｅ形止め輪８００ｂは、切欠き部１１２ｂに設けられたＹ軸方向の長さ分Ｙ軸プラス側に移動する。そのため、Ｅ形止め輪８００ｂは、Ｅ形止め輪８００ａが止め輪挟持部９２１に挟持される際の妨げとならない。
【００５３】
図５は、Ｅ形止め輪装着工具１００を使用する状態の例を示す第１の上面図である。図５はＥ形止め輪８００がレール部材１１０に挿入された状態を示している。Ｅ形止め輪の開口部８０１は幅Ｗ１を有している。第１レール部１１１は、左右方向が幅Ｗ２である。第２レール部１１２は左右方向が幅Ｗ３である。ここで、幅Ｗ２は、幅Ｗ１より若干（例えば０．３〜０．５ミリメートル程度）小さい。また幅Ｗ３は幅Ｗ１より大きく、Ｅ形止め輪８００がＹ軸マイナス方向へ脱落しないように設定されている。このような構成により、Ｅ形止め輪装着工具１００は、スタックされた複数のＥ形止め輪８００を上下方向にスライド可能に保持している。
【００５４】
図６は、Ｅ形止め輪装着工具１００を使用する状態の例を示す第２の上面図である。図６に示すＥ形止め輪装着工具１００は、理解を容易にするため、レール部材１１０が省略されている。Ｅ形止め輪８００は止め輪設置面１３５に接している状態である。止め輪ガイド１３６は図５に示したレール部材１１０の第１レール部１１１と同じ幅Ｗ２を有している。したがって、Ｅ形止め輪８００はＹ軸マイナス方向へ引き抜くことが可能な状態である。
【００５５】
Ｅ形止め輪８００の下側に立設されている先端ガイド１３４は幅Ｗ４を有している。一方、挿入工具９００の軸挟持部９１０の先端９１１で内側に湾曲して互いに対向する部分は、幅Ｗ５を有している。ここで、幅Ｗ４は、幅Ｗ５と同程度の寸法となっている。そのため、Ｅ形止め輪装着工具１００は、挿入工具９００を左右方向においてガタツキなくガイドすることができる。
【００５６】
図に示すＥ形止め輪８００は前後方向の寸法として幅Ｄ１を有している。Ｅ形止め輪８００の開口端８０２は、ガイドプレート１２０のストッパ１２２に当接するように構成されている。ここで、ストッパ１２２は、ガイドプレート１２０の孔１２４の中心を通る左右方向に延びる線Ｌ１との距離がＢ１である。また開口端８０２がストッパ１２２に当接した状態で内径部８０３のＹ軸マイナス側の端部とストッパ１２２との距離はＢ３である。またこの状態で、止め輪ガイド１３６のＹ軸マイナス側の端部と内径部８０３とはガタツキない状態となっている。このような構成により、Ｅ形止め輪装着工具１００は、装着対象のＥ形止め輪８００をガタツキなく保持することができる。
【００５７】
上述のように、Ｅ形止め輪装着工具１００は、挿入工具９００を上下方向および左右方向において確実にガイドする。またＥ形止め輪装着工具１００は、装着対象のＥ形止め輪８００をガタツキなく保持する。そのため、作業者はＥ形止め輪装着工具１００に挿入工具９００を挿入することにより、容易にＥ形止め輪８００を挿入工具９００に装着できる。
【００５８】
図７は、Ｅ形止め輪装着工具１００を使用する状態の例を示す第３の上面図である。図７は、挿入工具９００がＹ軸プラス方向に挿入された結果、Ｅ形止め輪８００が挿入工具９００の止め輪挟持部９２１に挟持された状態を示している。作業者は、Ｅ形止め輪装着工具１００に挿入工具９００を挿入し、止め輪挟持部９２１がＥ形止め輪８００を装着すると、挿入工具９００をＥ形止め輪装着工具１００からＹ軸マイナス方向へ引き抜く。
【００５９】
以上の作業を行うことにより、挿入工具９００にＥ形止め輪８００が装着される。なお、挿入工具９００がＥ形止め輪装着工具１００から引き抜かれた後に、スタックされたＥ形止め輪８００のうち最下部に位置していたものが止め輪設置面１３５に接する位置まで落下する。そのため、Ｅ形止め輪装着工具１００は、レール部材１１０に保持しているＥ形止め輪８００を連続して挿入工具９００に装着させることができる。
【００６０】
次に図８を参照しながらサイズが異なるＥ形止め輪を装着する場合について説明する。図８は、Ｅ形止め輪装着工具１００を使用する状態の例を示す第４の上面図である。図８に示すＥ形止め輪装着工具１００は、図６と同様に、レール部材１１０が省略されている。図８に示すＥ形止め輪装着工具１００は、ガイドプレート１２０の向きが図６と異なる。すなわち、図８に示すＥ形止め輪装着工具１００は、図６の状態からガイドプレート１２０をＺ軸周りに１８０度回転させて設置した状態である。また図８においてＥ形止め輪装着工具１００にセットされているＥ形止め輪８１０は、前後方向の寸法が上述のＥ形止め輪８００と異なる。
【００６１】
図に示すＥ形止め輪８１０は前後方向の寸法として幅Ｄ２を有している。幅Ｄ２は、図６に示したＥ形止め輪８００が有する幅Ｄ１より大きい。Ｅ形止め輪８１０の開口端８１２は、ガイドプレート１２０の副ストッパ１２３に当接している。ここで、副ストッパ１２３は、ガイドプレート１２０の孔１２４の中心を通り左右方向に延びる線Ｌ１との距離がＢ２である。ここでＢ２はＢ１よりも短く設定されている。開口端８０２がストッパ１２２に当接した状態で内径部８１３のＹ軸マイナス側の端部と副ストッパ１２３との距離はＢ４である。この状態で、止め輪ガイド１３６のＹ軸マイナス側の端部と内径部８０３とはガタツキない状態となっている。
【００６２】
上述の図６に示した構成と、図８に示した構成とを対比した場合、前後方向の寸法において、Ｂ１＋Ｂ３＝Ｂ２＋Ｂ４という関係が成立する。すなわち、ガイドプレート１２０は、前後方向の寸法が異なるＥ形止め輪に対して、その差分を相殺したうえでガタツキなく保持できるように設定されている。このように、ガイドプレート１２０が回転して設置可能に構成されていることにより、Ｅ形止め輪装着工具１００は、前後方向の寸法がＥ形止め輪８００と異なるＥ形止め輪８１０もガタツキなく保持することができる。
【００６３】
以上、実施の形態について説明したが、実施の形態にかかるＥ形止め輪装着工具１００は、上述の構成に限られない。例えば、ガイドプレート１２０は、副ストッパ１２３を有していない構成であってもよいし、副ストッパ１２３に加えてさらに異なるＥ形止め輪の寸法に対応するように、３つ以上のストッパを有していてもよい。その場合、ガイドプレート１２０は、例えば正方形に近い形状やその他の多角形の形状をしたプレートであってもよい。レール部材１１０、ガイドプレート１２０およびベース部材１３０は、別部材ではなく、一体として成形されたものであってもよい。
【００６４】
上述のとおり、Ｅ形止め輪装着工具１００は、小型且つ軽量で携帯容易な構成とすることができる。そのため作業者は、一方の手でＥ形止め輪装着工具１００を挟持し、他方の手で挿入工具９００を把持して、作業を行うことができる。よって、作業者は作業者自身が作業し易い姿勢でＥ形止め輪８００を挿入工具９００に装着することができる。またＥ形止め輪装着工具１００は、挿入工具９００を左右方向および上下方向においてガイドする。そのため、挿入工具９００は正しい角度でＥ形止め輪装着工具１００に挿入される。すなわちＥ形止め輪装着工具１００は、Ｅ形止め輪８００を挿入工具９００に正しく装着することができる。よって、実施の形態によれば、自由度が高く、容易に正しい作業ができるＥ形止め輪装着工具を提供することができる。
【００６５】
なお、本考案は上記実施の形態に限られたものではなく、趣旨を逸脱しない範囲で適宜変更することが可能である。
【符号の説明】
【００６６】
１００  Ｅ形止め輪装着工具
１１０  レール部材
１１０ａ  第１端部
１１０ｂ  第２端部
１１２ａ  凸部
１１２ｂ  切欠き部
１１３  挟持部
１１３ｈ  穴部
１１４  ネジ穴
１２０  ガイドプレート
１２２  ストッパ
１２３  副ストッパ
１２４  孔
１３０  ベース部材
１３２  孔
１３３  斜面
１３４  先端ガイド
１３５  止め輪設置面
１３６  止め輪ガイド
１４０  ネジ
８００、８１０  Ｅ形止め輪
８０１  開口部
８０２、８１２  開口端
８０３、８１３  内径部
９００  挿入工具
９１０  軸挟持部
９１１  先端
９２０  挟持片
９２１  止め輪挟持部
９３０  開閉部材
９４０  連結部材
９５０  操作レバー
９５１  操作部
９６０  把持部材
９６１  把持部
【図１】
0003222824.tif 000003
【図２】
0003222824.tif 000004
【図３】
0003222824.tif 000005
【図４】
0003222824.tif 000006
【図５】
0003222824.tif 000007
【図６】
0003222824.tif 000008
【図７】
0003222824.tif 000009
【図８】
0003222824.tif 000010